(57)【要約】【課題】組み立て作業性に優れ、動作不良が発生し難い光ピックアップのレンズ駆動機構を提供する。【解決手段】光ピックアップのレンズ駆動機構４０は、モータ４１と、モータ４１の駆動によって回転するリードスクリュ４２と、リードスクリュ４２のネジ部４２１に螺合するナット部材４３と、レンズ（図示せず）を保持し、リードスクリュ４２の回転によるナット部材４３の移動とともに移動するレンズ保持部材４４と、リードスクリュ４２のネジ部４２１のモータ４１側端部近傍に配置され、ナット部材４３と当接することがあるバネ部材４７と、を備える。バネ部材４７には、モータ４１で押さえられる突起部４７１ａが設けられている。【選択図】図７
2012064279.tif 000002
【特許請求の範囲】
【請求項１】
光源と、前記光源から出射される光を光記録媒体の情報記録面に集光する対物レンズとの間の光路中に配置されるレンズを駆動する光ピックアップのレンズ駆動機構であって、
モータと、
前記モータの駆動によって回転するリードスクリュと、
前記リードスクリュのネジ部に螺合するナット部材と、
前記レンズを保持し、前記リードスクリュの回転による前記ナット部材の移動とともに移動するレンズ保持部材と、
前記リードスクリュのネジ部の前記モータ側の端部近傍に配置され、前記ナット部材と当接することがあるバネ部材と、
を備え、
前記バネ部材には、前記モータで押さえられる突起部が設けられていることを特徴とする光ピックアップのレンズ駆動機構。
【請求項２】
前記バネ部材は、前記モータが固定配置されるベースに設けられる取付部に挿入配置されることを特徴とする請求項１に記載の光ピックアップのレンズ駆動機構。
【請求項３】
前記バネ部材には、前記取付部と係合して、前記取付部からの抜け止めとして機能する弾性部が設けられていることを特徴とする請求項２に記載の光ピックアップのレンズ駆動機構。
【請求項４】
前記モータは軸受け部を有し、
前記突起部は、前記軸受け部に押さえられることを特徴とする請求項１から３のいずれかに記載の光ピックアップのレンズ駆動機構。
【請求項５】
前記レンズは、コリメートレンズであることを特徴とする請求項１から４のいずれかに記載の光ピックアップのレンズ駆動機構。
【発明の詳細な説明】
【技術分野】
【０００１】
本発明は、光記録媒体に記録される情報の読み取りや光記録媒体への情報の書き込みを行う際に用いられる光ピックアップに関し、詳細には、それに備えられるレンズ駆動機構に関する。
【背景技術】
【０００２】
従来、光ピックアップの中には、球面収差の補正を行う目的でレンズ駆動機構を備えるものがある。このレンズ駆動機構の具体例としては、例えば光ピックアップの光学系中に配置されるコリメートレンズを光軸方向に移動可能とするものが挙げられる（例えば、特許文献１参照）。このレンズ駆動機構を備える光ピックアップでは、コリメートレンズの位置がレンズ駆動機構によって移動されることで、コリメートレンズから出射される光の収束発散状態が変わり、球面収差の補正が行えるようになっている。
【０００３】
図８は、従来の光ピックアップが備えるレンズ駆動機構の構成を示す概略斜視図である。図９は、従来の光ピックアップのレンズ駆動機構が備えるリードナットについて説明するための図で、図９（ａ）はリードナットの概略斜視図、図９（ｂ）はリードナットとレンズホルダの関係を示す図である。
【０００４】
従来の光ピックアップのレンズ駆動機構１００においては、ステッピングモータ１０１の出力軸にリードスクリュ１０２が取り付けられており、ステッピングモータ１０１の駆動によってリードスクリュ１０２が回転する。リードスクリュ１０２には、両端部を除いて螺旋状のネジが切られている。
【０００５】
リードスクリュ１０２には、内面にネジが切られた貫通孔１０３１を有するリードナット１０３が螺合している（図９（ｂ）参照）。リードナット１０３は、レンズ駆動機構１００が配置されるベース（図示しない）に設けられるガイドレールに係合する係合部１０３２を有している（図９（ａ）参照）。そして、これにより、リードナット１０３は、リードスクリュ１０２が回転すると、自身は回転することなくガイドレールに沿って移動するようになっている。
【０００６】
リードナット１０３は、コリメートレンズを保持するレンズホルダ１０４よりもステッピングモータ１０１に近い側に配置されている。リードスクリュ１０２の回転によりリードナット１０３がステッピングモータ１０１から離れる方向に移動する場合に、レンズホルダ１０４はリードナット１０３に押されることになる。
【０００７】
レンズホルダ１０４には、リードスクリュ１０２と略平行に配置される２本のガイドシャフト１０５が挿通され、レンズホルダ１０４はガイドシャフト１０５に沿って移動する。２本のガイドシャフト１０５のうちの一方には与圧バネ（コイルバネ）１０６が遊嵌されており、この与圧バネ１０６はレンズホルダ１０４をステッピングモータ１０１側に付勢している。
【０００８】
このために、リードスクリュ１０２がステッピングモータ１０１の駆動によって回転されて、リードナット１０３がステッピングモータ１０１から離れる方向に移動すると、レンズホルダ１０４は、リードナット３０３によって押される形で、与圧バネ１０６の付勢力に反してステッピングモータ１０１から離れる方向に移動する。一方、リードナット１０３がステッピングモータ１０１に近づく方向に移動すると、レンズホルダ１０４は与圧バネ１０６の付勢力によってステッピングモータ３０１に近づく方向に移動する。
【０００９】
板バネ部材１０８は、リードナット１０３がリードスクリュ１０２のネジ山から抜け落ちて、リードナット１０３が使用できなくなるのを防止するために設けられる。図１０は、従来の光ピックアップのレンズ駆動機構が備える板バネ部材の構成を示す概略斜視図である。板バネ部材１０８は、天板となる第１の部分１０８１と、第１の部分１０８１に対して折り曲げられた部分であって、リードナット１０３と当接する部分を有する第２の部分１０８２と、図示しないベース（レンズ駆動機構１００が配置されるベース）に固定するために使用される固定部１０８３と、が備えられる。これらの各部は一体的に形成されている。
【００１０】
固定部１０８３は、天板より低い位置に設けられ、天板と略平行な板面を有している。この天板と略平行な板面には、ビス留めができるように形成されるビス孔１０８３ａと、位置決めピンによって位置決めできるように形成される位置決め孔１０８３ｂ、１０８３ｃと、が形成されている。
【００１１】
図１１は、従来の光ピックアップのレンズ駆動機構における、板バネ部材の固定状態について説明するための図である。板バネ部材１０８は、図１１に示すように、ステッピングモータ１０１に設けられる固定部１０１１がベース２００（レンズ駆動機構１００が配置されるベースで、光ピックアップのベース）に固定される部分と同じ位置で、その固定部１０８３が固定されるようになっている。具体的には、ステッピングモータ１０１の固定部１０１１（図８も参照）には、板バネ部材１０８の固定部１０８３と同様のビス孔と、２つの位置決め孔が形成されている。これにより、ベース２００に形成される２つの位置決めピン２０２、２０３によって、ステッピングモータ１０１の固定部１０１１と板バネ部材１０８の固定部１０８３とが重なり合った状態（板バネ部材１０８の固定部１０８３の方が上側に位置する）で位置決めされる。そして、ステッピングモータ１０１の固定部１０１１と、板バネ部材１０８の固定部１０８３とは、ビス２０１によってベース２００に固定される。
【００１２】
図１２は、従来の光ピックアップのレンズ駆動機構が備える板バネ部材の作用を説明するための図である。図１２に示すように、板バネ部材１０８は、リードスクリュ１０２のステッピングモータ１０１側のネジ端部近傍ＳＥ１でリードナット１０３に当接するように配置されている。板バネ部材１０８は、ステッピングモータ１０１側に移動するリードナット１０３に押されると弾性変形し、他方のネジ端部ＳＥ２がある側に向かってリードナット１０３に力を加えることになる。このために、リードナット１０３がリードスクリュ１０２のネジ山から抜け落ちて使用できなくなるという事態が防止される。
【００１３】
なお、リードナット１０３がステッピングモータ１０１から離れる方向に進み続け、リードスクリュ１０２のネジ山から抜け落ちて使用できなくなるという事態は、与圧バネ１０６の存在により生じないようになっている。
【先行技術文献】
【特許文献】
【００１４】
【特許文献１】特開２００９−２７７３３０号公報
【発明の概要】
【発明が解決しようとする課題】
【００１５】
しかしながら、従来の光ピックアップのレンズ駆動機構１００においては、板バネ部材１０８がビス２０１によってベース２００に固定される構成であるために、板バネ部材１０８の形状が複雑、且つ、大型化してしまうといった問題がある。また、このように板バネ部材１０８がビス２０１によってベース２００に固定される構成を採用すると、光ピックアップの組み立て作業における作業性が必ずしも良くなく、このような構成は好ましい構成とは言えない。
【００１６】
リードナット１０３がリードスクリュ１０２のネジ山から抜け落ちて使用できなくなることを防止する板バネ部材の固定方法として、例えば次のような構成を採用することも考えられる。すなわち、ベース２００ではなく、ステッピングモータ１０１の固定部１０１１に例えばフック等を設けて、これに板バネ部材を引っ掛ける構成を採用することが考えられる。これによると、ビス留め作業が不要であるために作業性の面では優れる。しかしながら、ステッピングモータ１０１が固定部１０１１を有さない場合には、この手法は適用できないといった問題がある。
【００１７】
以上の点に鑑みて、本発明の目的は、組み立て作業性に優れ、動作不良が発生し難い光ピックアップのレンズ駆動機構を提供することである。
【課題を解決するための手段】
【００１８】
上記目的を達成するために本発明の光ピックアップのレンズ駆動機構は、光源と、前記光源から出射される光を光記録媒体の情報記録面に集光する対物レンズとの間の光路中に配置されるレンズを駆動するレンズ駆動機構であって、モータと、前記モータの駆動によって回転するリードスクリュと、前記リードスクリュのネジ部に螺合するナット部材と、
前記レンズを保持し、前記リードスクリュの回転による前記ナット部材の移動とともに移動するレンズ保持部材と、前記リードスクリュのネジ部の前記モータ側の端部近傍に配置され、前記ナット部材と当接することがあるバネ部材と、を備え、前記バネ部材には、前記モータで押さえられる突起部が設けられていることを特徴としている。
【００１９】
本構成によれば、バネ部材は、モータ（の外殻）によって押さえられることで、その取り付け位置に固定可能となる。このために、バネ部材はビス留め或いは接着剤によって固定する必要がなく、バネ部材の取り付け作業が容易となる。また、本構成は、モータが固定部（モータ自身を固定するためのものを指す）を備えなくても、モータによるバネ部材の固定が可能となり、低コスト化に有利である。
【００２０】
上記構成の光ピックアップのレンズ駆動機構において、前記バネ部材は、前記モータが固定配置されるベースに設けられる取付部に挿入配置されるのが好ましい。本構成によれば、バネ部材が簡単且つ確実に取り付けられるようになるとともに、バネ部材の機能が安定して発揮され得る。
【００２１】
上記構成の光ピックアップのレンズ駆動機構において、前記バネ部材には、前記取付部と係合して、前記取付部からの抜け止めとして機能する弾性部が設けられているのが好ましい。本構成によれば、取付部に挿入されたバネ部材が更に確実に固定されることを期待できる。
【００２２】
上記構成の光ピックアップのレンズ駆動機構において、前記モータは軸受け部を有し、
前記突起部は、前記軸受け部に押さえられるのが好ましい。モータの軸受け部は、モータ本体部から突出し、そのサイズはモータ本体部より小さい。このために、本構成によれば、バネ部材が必要以上に大きくなることを避けられる。
【００２３】
上記構成の光ピックアップのレンズ駆動機構において、前記レンズは、コリメートレンズであることとしてもよい。球面収差を補正する目的で、コリメートレンズが光軸方向に移動可能とされる光ピックアップに対して、本発明は好適である。
【発明の効果】
【００２４】
本発明によれば、バネ部材によって、ナット部材がリードスクリュのネジ部から抜け落ちて使用できなくなるという動作不良が防止される。そして、本発明によれば、そのようなバネ部材の取付作業が非常に簡単である。すなわち、本発明によれば、組み立て作業性に優れ、動作不良が発生し難い光ピックアップのレンズ駆動機構が提供できる。
【図面の簡単な説明】
【００２５】
【図１】本実施形態の光ピックアップの構成を示す概略平面図
【図２】本実施形態の光ピックアップの光学構成を示す概略平面図
【図３】本実施形態の光ピックアップが備えるレンズ駆動機構の構成を示す概略平面図
【図４】本実施形態の光ピックアップのレンズ駆動機構が備えるリターンスプリングの構成を示す概略斜視図
【図５】本実施形態の光ピックアップにおいて、レンズ駆動機構をピックアップベースに取り付ける途中の状態を示す概略斜視図
【図６】本実施形態の光ピックアップにおいて、レンズ駆動機構をピックアップベースに取り付け終えた状態を示す概略斜視図
【図７】図６のＡ−Ａ位置における概略断面図
【図８】従来の光ピックアップが備えるレンズ駆動機構の構成を示す概略斜視図
【図９】従来の光ピックアップのレンズ駆動機構が備えるリードナットについて説明するための図
【図１０】従来の光ピックアップのレンズ駆動機構が備える板バネ部材の構成を示す概略斜視図
【図１１】従来の光ピックアップのレンズ駆動機構における、板バネ部材の固定状態について説明するための図
【図１２】従来の光ピックアップのレンズ駆動機構が備える板バネ部材の作用を説明するための図
【発明を実施するための形態】
【００２６】
以下、本発明が適用された光ピックアップの実施形態について、図面を参照しながら説明する。
【００２７】
図１は、本実施形態の光ピックアップの構成を示す概略平面図で、図１（ａ）は光ピックアップの上面図、図１（ｂ）は光ピックアップの側面図である。なお、図１（ｂ）は、図１（ａ）に示す矢印Ａに沿って見た図である。また、図１（ｂ）には、理解を容易とするために、光ディスクＤも併せて示している。
【００２８】
図１に示すように、本実施形態の光ピックアップ１は、ピックアップベース１０と、ピックアップベース１０上に固定配置される対物レンズアクチュエータ３０と、を備えた構成となっている。なお、本実施形態の光ピックアップは、ブルーレイディスク（ＢＤ）、デジタル多用途ディスク（ＤＶＤ）、コンパクトディスク（ＣＤ）といった３種類の規格の光ディスクＤに対して情報の読み取りや書き込みを行うことが可能となっており、ＢＤ対応の第１の対物レンズ１７とＤＶＤ及びＣＤ対応の第２の対物レンズ２３とを備える構成となっている。
【００２９】
ピックアップベース１０の左右の端部には軸受け部１０ａ、１０ｂが設けられている。ピックアップベース１０は、この軸受け部１０ａ、１０ｂによって、光ディスクＤの再生や記録を行う装置である光ディスク装置に設けられるガイドシャフトＧＳ（図１（ａ）に破線で示す）に摺動可能に支持されることになる。光ディスク装置に設けられるガイドシャフトＧＳは光ディスクＤの半径方向（ラジアル方向）に延びるように配置される。このため、ガイドシャフトＧＳに対して摺動可能とされる光ピックアップ１は、回転する光ディスクＤの所望のアドレスにアクセスして、情報の読み取りや書き込みを行うことができる。
【００３０】
図２は、本実施形態の光ピックアップの光学構成を示す概略平面図である。第１のレーザダイオード（ＬＤ）１１から出射された第１の波長のレーザ光は、回折素子１２によって主光と２つの副光とに分けられる。回折素子１２を経たレーザ光は偏光ビームスプリッタ１３によって反射され、１／４波長板１４及びコリメートレンズ１５を通過する。コリメートレンズ１５を経たレーザ光は、第１の立ち上げミラー１６によって反射されて、第１の立ち上げミラー１６の上方にある第１の対物レンズ１７へと至る。第１の立ち上げミラー１６はダイクロイックミラーであり、第１のＬＤ１１から出射される第１の波長のレーザ光を反射するようになっている。
【００３１】
第１の対物レンズ１７は、入射したレーザ光を光ディスクＤの情報記録面ＲＳ（図１（ｂ）参照）に集光する機能を有する。第１の対物レンズ１７によって情報記録面ＲＳに集光されたレーザ光は、情報記録面ＲＳで反射される。この反射光（戻り光）は、第１の対物レンズ１７を通過後、第１の立ち上げミラー１６で反射され、コリメートレンズ１５、１／４波長板１４、偏光ビームスプリッタ１３、ビームスプリッタ１８を順に透過し、センサーレンズ１９によって非点収差を与えられてフォトディテクタ（受光素子）２０に集光する。フォトディテクタ２０は受光した光信号を電気信号に変換する光電変換手段として機能する。
【００３２】
なお、第１のＬＤ１１は、本実施形態ではＢＤ対応のレーザ光源であり、波長４０５ｎｍ帯のレーザ光を出射する。
【００３３】
第２のレーザダイオード（ＬＤ）２１は、第２の波長のレーザ光と第３の波長のレーザ光とを切り換えて出射できるようになっている。第２のＬＤ２１から出射されたレーザ光は、ビームスプリッタ１８によって反射され、その後、偏光ビームスプリッタ１３、１／４波長板１４、コリメートレンズ１５、及び、ダイクロイックミラーとして構成される第１の立ち上げミラー１６を、順に透過する。第１の立ち上げミラー１６を透過したレーザ光は、第２の立ち上げミラー２２によって反射されて、第２の立ち上げミラー２２の上方にある第２の対物レンズ２３へと至る。
【００３４】
第２の対物レンズ２３は、入射したレーザ光を光ディスクＤの情報記録面ＲＳ（図１（ｂ）参照）に集光する機能を有する。第２の対物レンズ２３で情報記録面ＲＳに集光された後に反射された反射光（戻り光）は、第２の対物レンズ２３を通過後、第２の立ち上げミラー２２で反射され、第１の立ち上げミラー１６、コリメートレンズ１５、１／４波長板１４、偏光ビームスプリッタ１３、ビームスプリッタ１８、センサーレンズ１９を順に透過してフォトディテクタ２０に集光する。
【００３５】
なお、第２のＬＤ２１は、本実施形態ではＤＶＤ及びＣＤ対応のレーザ光源であり、波長６５０ｎｍ帯のレーザ光（ＤＶＤ用；第２の波長のレーザ光）と波長７８０ｎｍ帯のレーザ光（ＣＤ用；第３の波長のレーザ光）とを切り換えて出射可能となっている。すなわち、第２のＬＤ２１は２種類の光源を含む構成となっている。このようなレーザ光源は、例えばモノリシックタイプ或いはハイブリッドタイプの２波長レーザであってよい。
【００３６】
以上で説明した光学部品１１〜２３は、いずれもピックアップベース１０上に搭載されるが、第１の対物レンズ１７及び第２の対物レンズ２３は、ピックアップベース１０上に配置される対物レンズアクチュエータ３０に搭載された状態で、ピックアップベース１０に搭載されることになる。対物レンズアクチュエータ３０は、ワイヤ３２よって片持ち支持されるレンズホルダ３１によって２つの対物レンズ１７、２３を保持する構成である（図１参照）。この対物レンズアクチュエータ３０は、磁石によって作られる磁界と、コイルを流れる電流との電磁気的な作用を利用して、レンズホルダ３１をフォーカス方向とトラック方向とに移動できるようになっている。このような対物レンズアクチュエータ３０の構成は公知であるために、その詳細な説明は省略する。
【００３７】
また、ピックアップベース１０に搭載されるコリメートレンズ１５は、球面収差を補正できるように、詳細は後述するレンズ駆動機構によって光軸方向（図２の矢印Ｍ方向）に移動できるようになっている。
【００３８】
図３は、本実施形態の光ピックアップが備えるレンズ駆動機構の構成を示す概略平面図である。図３に示すように、光ピックアップ１のレンズ駆動機構４０は、ステッピングモータ４１と、リードスクリュ４２と、リードナット４３と、レンズホルダ４４と、ガイドシャフト４５と、与圧バネ４６と、リターンスプリング４７と、を備える。
【００３９】
ステッピングモータ４１は、リードスクリュ４２を回転する駆動源である。駆動源としてステッピングモータを用いることによって、ステップ数によって、リードスクリュ４２の回転によって移動するレンズホルダ４４の移動量（言い換えれば、レンズの移動量）を管理することが可能になる。なお、レンズ駆動機構４０は、レンズホルダ４４が基準位置にあることを検知するフォトインタラプタ（図示せず）を備えており、このフォトインタラプタからの情報と併せてレンズホルダ４４の位置を把握することが可能になっている。
【００４０】
ステッピングモータ４１の出力軸に取り付けられる金属製のリードスクリュ４２には、螺旋状のネジが切られたネジ部４２１が設けられている。なお、リードスクリュ４２の両端部側には螺旋状のネジが切られていない部分が存在する。樹脂製のリードナット４３は、内面にネジが切られた貫通孔を有し、リードスクリュ４２のネジ部４２１と螺合する。リードナット４３は、従来のレンズ駆動機構１００（図８〜図１２参照）と同様に、リードスクリュ４２が回転すると、自身は回転することなく、リードスクリュ４２の長手方向（図３に矢印で示す方向）に移動するように構成されている。なお、リードナット４３は、レンズホルダ４４よりもステッピングモータ４１側に配置される。また、このリードナット４３は、本発明のナット部材の一例である。
【００４１】
レンズホルダ４４は、コリメートレンズ１５を保持するレンズ保持部４４１を有するとともに、リードナット４３と当接可能となるように、レンズ保持部４４１から延出する延出部４４２を有する。また、延出部４４２には、リードスクリュ４２と略平行に配置されるガイドシャフト４５が挿通される軸受け部４４３が設けられている。レンズホルダ４４は、軸受け部４４３に挿通されるガイドシャフト４５に沿って移動する。なお、レンズホルダ４４に保持されるコリメートレンズ１５の光軸とガイドシャフト４５とは略平行な関係となっている。また、レンズホルダ４４は、本発明のレンズ保持部材の一例である。
【００４２】
ガイドシャフト４５に遊嵌される与圧バネ（コイルバネ）４６は、その一端がレンズホルダ４４に当接し、他端がピックアップベース１０に当接している。この与圧バネ４６は、ガイドシャフト４５に沿って移動するレンズホルダ４４がステッピングモータ４１に近づく向きにレンズホルダ４５を付勢している。
【００４３】
リードスクリュ４２の回転により、リードナット４３がステッピングモータ４１から離れる方向に移動すると、レンズホルダ４４は、リードナット４３によって押される形で、与圧バネ４６の付勢力に反してステッピングモータ４１から離れる方向に移動する。一方、リードナット４３がステッピングモータ４１に近づく方向に移動すると、レンズホルダ４４は与圧バネ４６の付勢力によってステッピングモータ４１に近づく方向に移動する。
【００４４】
リターンスプリング４７は、ステッピングモータ４１に近づく方向に移動するリードナット４３がリードスクリュ４２のネジ部４２１から抜け落ちて、リードナット４３が使用できなくなるのを防止するために設けられる。具体的には、リターンスプリング４７は、リードスクリュ４２のネジ部４２１のステッピングモータ４１側の端部近傍に配置される。そして、リターンスプリング４７は、ステッピングモータ４１側に移動するリードナット４３に押されると弾性変形し、ステッピングモータ４１から離れる方向の力をリードナット４３に加えることになる。このために、リードナット４３がリードスクリュ４２のネジ部４２１から抜けて使用できなくなるという事態が防止される。このリターンスプリング４７は、本発明のバネ部材の一例である。
【００４５】
図４は、本実施形態の光ピックアップのレンズ駆動機構が備えるリターンスプリングの構成を示す概略斜視図である。板金によって一体的に形成されるリターンスプリング４７は、図４に示すように、リターンスプリング４７を固定配置するために使用される部分である固定部４７１と、固定部４７１に対して折り曲げられた部分であり、リードナット４３に当接する部分である弾性部４７２と、を備える。固定部４７１と弾性部４７２とには、リターンスプリング４７がリードスクリュ４２に当たらないように、切り欠き４７３が形成されている。
【００４６】
固定部４７１には、その底部中央を弾性部４７２が無い側に略９０°折り曲げて得られる第１の折曲部４７１ａと、その左右端部の上部側を各々、弾性部４７２側に折り曲げるとともに略くの字状とした第２の折曲部４７１ｂと、が形成されている。なお、後述の記載から明らかとなるように、第１の折曲部４７１ａは本発明の「モータに押さえられる突起部」の一例であり、第２の折曲部４７１ｂは本発明の「取付部からの抜け止めとして機能する弾性部」の一例である。
【００４７】
本実施形態の光ピックアップ１においては、レンズ駆動機構４０はピックアップベース１０に直接取り付けられる構成となっている。図５は、本実施形態の光ピックアップにおいて、レンズ駆動機構をピックアップベースに取り付ける途中の状態を示す概略斜視図である。図６は、本実施形態の光ピックアップにおいて、レンズ駆動機構をピックアップベースに取り付け終えた状態を示す概略斜視図である。なお、図５及び図６は一部分を拡大して示した図であり、省略された部分がある。また、図６においては与圧バネ４６の記載が省略されている。
【００４８】
レンズ駆動機構４０がピックアップベース１０に取り付けられる場合には、まず、ピックアップベース１０に一体的に設けられた取付部１０ｃに、リターンスプリング４７の固定部４７１（正確には、固定部４７１の一部）が挿入される（図５に示す状態）。取付部１０ｃは、挿入されるリターンスプリング４７の左右の端部側を前後方向から挟むように設けられている（ここでの左右や前後といった表現は、リターンスプリング４７が図４のように配置された状態を念頭においた表現である）。
【００４９】
リターンスプリング４７が取付部１０ｃに挿入されると、略くの字状に設けられて弾性を有する第２の折曲部４７１ｂが取付部１０ｃに挿入された状態となる（図６参照）。このために、第２の折曲部４７１ｂの弾性力によって、リターンスプリング４７は取付部１０ｃから抜け難くなっている。
【００５０】
リターンスプリング４７が取付部１０ｃに取り付けられると、次に、ステッピングモータ４１及びガイドシャフト４５がピックアップベース１０上に固定配置される。これらの固定配置によって、リードスクリュ４２、リードナット４３、レンズホルダ４４、及び与圧バネ４６もピックアップベース１０上に配置されることになる。
【００５１】
なお、本実施形態においては、低コスト化を狙ってステッピングモータ４１には、ネジ留め用のフランジ（従来の光ピックアップのレンズ駆動機構１００における、例えば図８に示す固定部１０１１）が別途取り付けられていない。このために、ステッピングモータ４１は、ピックアップベース１０に接着剤を用いて固定されるようになっている。
【００５２】
図７は、図６のＡ−Ａ位置における概略断面図である。なお、図６では、ピックアップベース１０は省略されている。図６に示すように、ステッピングモータ４１がピックアップベース１０に固定された状態において、リターンスプリング４７の第１の折曲部４２１ａは、ステッピングモータ４１の本体部から突出する軸受け部４１１によって押さえられている。このために、リターンスプリング４７が取付部１０ｃから抜けてしまうといった事態が防止される。
【００５３】
すなわち、本実施形態では、リターンスプリング４７は、第１の折曲部４２１ａ（係合部）がステッピングモータ４１の軸受け部４１１によって押さえられること、及び、弾性部として機能する第２の折曲部４２１ｂの弾性力、によって、接着固定やビス留めすることなく、確実にピックアップベース１０の取付部１０ｃに固定配置される構成となっている。このために、レンズ駆動機構４０の組み立て作業が容易である。また、リターンスプリング４７が確実に固定されるために、リードナット４３がリードスクリュ４２のネジ部４２１から抜け落ちて使用できなくなるといった事態を確実に避けられ、本実施形態のレンズ駆動機構４０は動作不良を起こし難い。
【００５４】
以上に示した実施形態は本発明の一例であり、本発明の光ピックアップのレンズ駆動機構は以上に示した構成に限定されるものではない。
【００５５】
例えば、以上に示した実施形態では、リターンスプリング４７の第１の折曲部４２１ａがステッピングモータ４１の軸受け部４１１によって押さえられる構成としたが、この構成に限られる趣旨ではない。すなわち、リターンスプリング４７の第１の折曲部４２１ａがステッピングモータ４１の他の外殻部分によって押さえられる構成も本発明に含まれる。
【００５６】
また、以上に示した本実施形態では、リターンスプリング４７が取付部１０ｃから抜けないように、第１の折曲部４２１ａに加えて第２の折曲部４２１ｂも設ける構成とした。しかし、この構成に限られず、第２の折曲部４２１ｂを設けない構成も本発明の範囲に含まれる。
【００５７】
また、以上に示した本実施形態では、レンズ駆動機構４０をピックアップベース１０に直接取り付ける構成とした。しかし、この構成に限らず、レンズ駆動機構４０を専用に搭載するベース部材を設ける構成とし、レンズ駆動機構を搭載したベース部材をピックアップベース１０に取り付ける構成としても構わない。
【００５８】
また、本実施形態では、レンズ駆動機構４０によって移動されるレンズがコリメートレンズであることとした。しかし、これに限らず、他のレンズを移動するレンズ駆動機構に対しても、当然本発明は適用できる。例えば、球面収差の補正を行うために使用されるビームエキスパンダーが備えるレンズ駆動機構に対しても、本発明は適用可能である。
【００５９】
また、以上に示した実施形態では、光ピックアップはＢＤ、ＤＶＤ、ＣＤに対応する構成とした。しかしながら、本発明の光ピックアップのレンズ駆動機構は、光ピックアップが対応可能な光ディスクの種類が、本実施形態で示したもの以外の場合（対応可能な光ディスクの種類が複数の場合ばかりでなく単数の場合も含む）でも適用できるのは当然である。
【産業上の利用可能性】
【００６０】
本発明は、光源と、光源から出射される光を光記録媒体の情報記録面に集光する集光レンズとの間の光路中に配置されるレンズを駆動するレンズ駆動機構を備える光ピックアップに好適である。
【符号の説明】
【００６１】
１  光ピックアップ
１０  ピックアップベース
１０ｃ  取付部
１１  第１の光源
１５  コリメートレンズ
１７  第１の対物レンズ
１８  第２の光源
１９  第２の対物レンズ
４０  レンズ駆動機構
４１  ステッピングモータ
４２  リードスクリュ
４３  リ―ドナット（ナット部材）
４４  レンズホルダ（レンズ保持部材）
４７  リターンスプリング（バネ部材）
４１１  軸受け部
４２１  ネジ部
４７１ａ  第１の折曲部（突起部）
４７１ｂ  第２の折曲部（弾性部）
Ｄ    光ディスク（光記録媒体）
ＲＳ  情報記録面
【図１】
2012064279.tif 000003
【図２】
2012064279.tif 000004
【図３】
2012064279.tif 000005
【図４】
2012064279.tif 000006
【図５】
2012064279.tif 000007
【図６】
2012064279.tif 000008
【図７】
2012064279.tif 000009
【図８】
2012064279.tif 000010
【図９】
2012064279.tif 000011
【図１０】
2012064279.tif 000012
【図１１】
2012064279.tif 000013
【図１２】
2012064279.tif 000014